(57)【要約】      （修正有）【課題】効率的にＤ２Ｄ通信を行う端末装置、基地局装置、集積回路及び無線通信方法を提供する。【解決手段】他の端末装置および基地局装置と通信する端末装置１であって、ランダムアクセス手順を処理する上位層処理部１０１を備える。上位層処理部は、基地局装置へランダムアクセスプリアンブルを送信し、受信部でランダムアクセスプリアンブルに対応するランダムアクセス応答を受信し、かつバッファに他の端末装置へ送信可能なデータが保管されている場合に、基地局装置へ送信するメッセージ３にＤ２Ｄ−ＲＮＴＩ（Ｄｅｖｉｃｅ  ｔｏ  Ｄｅｖｉｃｅ−Ｒａｄｉｏ  Ｎｅｔｗｏｒｋ  Ｔｅｍｐｏｒａｒｙ  Ｉｄｅｎｔｉｆｉｅｒ）を示す情報を含めるように処理する。【選択図】図１８
2017168874.tif 000002
【特許請求の範囲】
【請求項１】
他の端末装置および基地局装置と通信する端末装置であって、
前記他の端末装置および前記基地局装置へ信号を送信する送信部と、
前記基地局装置からの信号を受信する受信部と、
前記送信部から送信するデータを保管するバッファと、
ランダムアクセス手順を処理する上位層処理部と、を備え、
前記送信部は、前記基地局装置へランダムアクセスプリアンブルを送信し、
前記上位層処理部は、前記受信部で前記ランダムアクセスプリアンブルに対応するランダムアクセス応答を受信し、かつ前記バッファに前記他の端末装置へ送信可能なデータが保管されている場合に、前記送信部から前記基地局装置へ送信するメッセージ３にＤ２Ｄ−ＲＮＴＩを示す情報を含めるように処理する
ことを特徴とする端末装置。
【請求項２】
前記上位層処理部は、
前記受信部で前記ランダムアクセスプリアンブルに対応するランダムアクセス応答を受信し、かつ前記バッファに前記他の端末装置へ送信可能なデータが保管されている場合に、前記メッセージ３にＤ２Ｄ  ｇｒｏｕｐ  ＩＤを示す情報を含めるように処理する
ことを特徴とする請求項１記載の端末装置。
【請求項３】
前記上位層処理部は、
前記受信部で前記ランダムアクセスプリアンブルに対応するランダムアクセス応答を受信し、かつ前記バッファに前記基地局装置へ送信可能なデータが保管されている場合に、前記メッセージ３にＣ−ＲＮＴＩを示す情報を含めるように処理する
ことを特徴とする請求項１または２に記載の端末装置
【請求項４】
前記上位層処理部は、
前記受信部で受信した信号から前記Ｄ２Ｄ−ＲＮＴＩ宛てのＰＤＣＣＨを検出し、該ＰＤＣＣＨがＤ２Ｄグラントを含んでいる場合にランダムアクセス手順を終了する
ことを特徴とする請求項１記載の端末装置。
【請求項５】
前記上位層処理部は、
前記受信部で受信した信号から前記Ｄ２Ｄ−ＲＮＴＩ宛てのＰＤＣＣＨを検出し、該ＰＤＣＣＨに前記Ｄ２Ｄ  ｇｒｏｕｐ  ＩＤに属するＤ２Ｄグラントを含んでいる場合にランダムアクセス手順を終了する
ことを特徴とする請求項２記載の端末装置。
【請求項６】
前記上位層処理部は、
前記受信部で受信した信号から前記Ｃ−ＲＮＴＩ宛てのＰＤＣＣＨを検出し、該ＰＤＣＣＨが新規送信のための上りリンクグラントを含んでいる場合にランダムアクセス手順を終了する
ことを特徴とする請求項３記載の端末装置。
【請求項７】
前記上位層処理部は、
前記受信部で受信した信号から前記Ｄ２Ｄ−ＲＮＴＩ宛てのＰＤＣＣＨを検出し、該ＰＤＣＣＨがＤ２Ｄグラントを含んでいる場合にランダムアクセス手順を終了する
ことを特徴とする請求項６記載の端末装置。
【請求項８】
前記上位層処理部は、
前記受信部で受信した信号から前記Ｃ−ＲＮＴＩ宛ての第１のＰＤＣＣＨと前記Ｄ２Ｄ−ＲＮＴＩ宛ての第２のＰＤＣＣＨとを検出し、前記第１のＰＤＣＣＨが新規送信のための上りリンクグラントを含み、前記第２のＰＤＣＣＨがＤ２Ｄグラントを含んでいる場合にランダムアクセス手順を終了する
ことを特徴とする請求項３記載の端末装置。
【請求項９】
端末装置と通信する基地局装置であって、
前記端末装置からＤ２Ｄ−ＲＮＴＩを示す情報を含むメッセージ３を受信する受信部と、
前記Ｄ２Ｄ−ＲＮＴＩ宛てのＰＤＣＣＨにＤ２Ｄグラントを含めるように処理する上位層処理部と、
前記ＰＤＣＣＨを前記端末装置へ送信する送信部と、
を備える
ことを特徴とする基地局装置。
【請求項１０】
前記受信部は前記メッセージ３でＤ２Ｄ  ｇｒｏｕｐ  ＩＤを示す情報を受信し、
前記上位層処理部は、前記Ｄ２Ｄグラントに前記Ｄ２Ｄ  ｇｒｏｕｐ  ＩＤを示す情報を含めるように処理する
ことを特徴とする請求項９記載の基地局装置。
【請求項１１】
他の端末装置および基地局装置と通信する端末装置に実装される集積回路であって、
前記他の端末装置および前記基地局装置へ信号を送信する機能と、
前記基地局装置からの信号を受信する機能と、
前記他の端末装置および前記基地局装置へ送信するデータを保管する機能と、
ランダムアクセス手順を処理する機能と、を含む一連の機能を前記端末装置へ発揮させ、
前記基地局装置へランダムアクセスプリアンブルを送信し、
前記ランダムアクセスプリアンブルに対応するランダムアクセス応答を受信し、かつ前記他の端末装置へ送信可能なデータが保管されている場合に、前記基地局装置へ送信するメッセージ３にＤ２Ｄ−ＲＮＴＩを示す情報を含めるように処理する
ことを特徴とする集積回路。
【請求項１２】
前記基地局装置へ送信可能なデータが保管されている場合に、前記メッセージ３にＣ−ＲＮＴＩを示す情報を含めるように処理し、
前記基地局装置から受信した信号から前記Ｃ−ＲＮＴＩ宛てまたは前記Ｄ２Ｄ−ＲＮＴＩ宛てのＰＤＣＣＨを検出し、
前記ＰＤＣＣＨが新規送信のための上りリンクグラントまたはＤ２Ｄグラントを含んでいる場合にランダムアクセス手順を終了する
ことを特徴とする請求項１１記載の集積回路。
【請求項１３】
端末装置と通信する基地局装置に実装される集積回路であって、
前記端末装置からＤ２Ｄ−ＲＮＴＩを示す情報を含むメッセージ３を受信する機能と、
前記Ｄ２Ｄ−ＲＮＴＩ宛てのＰＤＣＣＨにＤ２Ｄグラントを含めるように処理する機能と、
前記ＰＤＣＣＨを前記端末装置へ送信する機能と、を含む一連の機能を前記端末装置へ発揮させる
ことを特徴とする集積回路。
【請求項１４】
他の端末装置および基地局装置と通信する端末装置に用いられる無線通信方法であって、
前記他の端末装置および前記基地局装置へ送信するデータを保管し、
前記基地局装置へランダムアクセスプリアンブルを送信し、
前記ランダムアクセスプリアンブルに対応するランダムアクセス応答を受信し、かつ前記他の端末装置へ送信可能なデータが保管されている場合に、前記基地局装置へ送信するメッセージ３にＤ２Ｄ−ＲＮＴＩを示す情報を含めるように処理する
ことを特徴とする無線通信方法。
【請求項１５】
前記基地局装置へ送信可能なデータが保管されている場合に、前記メッセージ３にＣ−ＲＮＴＩを示す情報を含めるように処理し、
前記基地局装置から受信した信号から前記Ｃ−ＲＮＴＩ宛てまたは前記Ｄ２Ｄ−ＲＮＴＩ宛てのＰＤＣＣＨを検出し、
前記ＰＤＣＣＨが新規送信のための上りリンクグラントまたはＤ２Ｄグラントを含んでいる場合にランダムアクセス手順を終了する
ことを特徴とする請求項１４記載の無線通信方法。
【請求項１６】
端末装置と通信する基地局装置に用いられる無線通信方法であって、
前記端末装置からＤ２Ｄ−ＲＮＴＩを示す情報を含むメッセージ３を受信し、
前記Ｄ２Ｄ−ＲＮＴＩ宛てのＰＤＣＣＨにＤ２Ｄグラントを含めるように処理し、
前記ＰＤＣＣＨを前記端末装置へ送信する
ことを特徴とする無線通信方法。
【発明の詳細な説明】
【技術分野】
【０００１】
本発明は、端末装置、基地局装置、集積回路、および、無線通信方法に関する。
【背景技術】
【０００２】
セルラ（cellular）移動通信の無線アクセス方式（Evolved Universal Terrestrial Radio Access : EUTRA）および無線アクセスネットワーク（Evolved Universal Terrestrial Radio Access Network: EUTRAN）が、第三世代パートナーシッププロジェクト（3rd Generation Partnership Project: 3GPP）において検討されている。ＥＵＴＲＡおよびＥＵＴＲＡＮをＬＴＥ（Long Term Evolution）とも称する。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラ通信システムである。単一の基地局装置は複数のセルを管理してもよい。
【０００３】
３ＧＰＰにおいて、ＰｒｏＳｅ（Proximity based Services）の検討が行われている。ＰｒｏＳｅは、ＰｒｏＳｅ発見（discovery）とＰｒｏＳｅ通信（communication）とを含む。ＰｒｏＳｅ発見は、端末装置がＥＵＴＲＡを用いて他の端末装置と近接している（in proximity）ことを特定するプロセスである。ＰｒｏＳｅ通信は、２つの端末装置間で確立されたＥＵＴＲＡＮ通信路（communication path）を用いる近接している該２つの端末間の通信である。例えば、該通信路は端末装置間において直接確立されてもよい。
【０００４】
ＰｒｏＳｅ発見およびＰｒｏＳｅ通信のそれぞれを、Ｄ２Ｄ（Device to Device）発見およびＤ２Ｄ通信とも称する。ＰｒｏＳｅ発見およびＰｒｏＳｅ通信を総称して、ＰｒｏＳｅとも称する。Ｄ２Ｄ発見およびＤ２Ｄ通信を総称して、Ｄ２Ｄとも称する。よって、本発明の記載において、Ｄ２Ｄと称されるものはＰｒｏＳｅと称されても良く、ＰｒｏＳｅと称されるものはＤ２Ｄと称されても良い。通信路をリンク（link）とも称する。
【０００５】
非特許文献１において、リソースブロックのサブセットがＤ２Ｄのためにリザーブされること、ネットワークがＤ２Ｄリソースのセットを設定すること、および、端末装置は該設定されたリソースにおいてＤ２Ｄ信号の送信を許可されることが記載されている。
【先行技術文献】
【非特許文献】
【０００６】
【非特許文献１】"D2D for LTE Proximity Services: Overview", R1-132028, 3GPP TSG-RAN WG1 Meeting #73, 20 - 24 May 2013.
【発明の概要】
【発明が解決しようとする課題】
【０００７】
しかしながら、端末装置がＤ２Ｄとセルラ通信を同時に行うことは十分に検討されていない。本発明は、上記問題を鑑みてなされたものであり、その目的は、効率的にＤ２Ｄを行うことができる端末装置、該端末装置を制御する基地局装置、該端末装置に実装される集積回路、該基地局装置に用いられる基地局装置、該端末装置に用いられる通信方法、および、該基地局装置に用いられる通信方法を提供することである。
【課題を解決するための手段】
【０００８】
（１）上記の目的を達成するために、本発明は、以下のような手段を講じた。すなわち、本発明の端末装置は、他の端末装置および基地局装置と通信する端末装置であって、前記他の端末装置および前記基地局装置へ信号を送信する送信部と、前記基地局装置からの信号を受信する受信部と、前記送信部から送信するデータを保管するバッファと、ランダムアクセス手順を処理する上位層処理部と、を備え、前記送信部は、前記基地局装置へランダムアクセスプリアンブルを送信し、前記上位層処理部は、前記受信部で前記ランダムアクセスプリアンブルに対応するランダムアクセス応答を受信し、かつ前記バッファに前記他の端末装置へ送信可能なデータが保管されている場合に、前記送信部から前記基地局装置へ送信するメッセージ３にＤ２Ｄ−ＲＮＴＩを示す情報を含めるように処理する。
【０００９】
（２）また、本発明において、上記の端末装置における前記上位層処理部は、前記受信部で前記ランダムアクセスプリアンブルに対応するランダムアクセス応答を受信し、かつ前記バッファに前記他の端末装置へ送信可能なデータが保管されている場合に、前記メッセージ３にＤ２Ｄ  ｇｒｏｕｐ  ＩＤを示す情報を含めるように処理する。
【００１０】
（３）また、本発明において、上記の端末装置における前記上位層処理部は、前記受信部で前記ランダムアクセスプリアンブルに対応するランダムアクセス応答を受信し、かつ前記バッファに前記基地局装置へ送信可能なデータが保管されている場合に、前記メッセージ３にＣ−ＲＮＴＩを示す情報を含めるように処理する。
【００１１】
（４）また、本発明において、上記の端末装置における前記上位層処理部は、前記受信部で受信した信号から前記Ｄ２Ｄ−ＲＮＴＩ宛てのＰＤＣＣＨを検出し、該ＰＤＣＣＨがＤ２Ｄグラントを含んでいる場合にランダムアクセス手順を終了する。
【００１２】
（５）また、本発明において、上記の端末装置における前記上位層処理部は、前記受信部で受信した信号から前記Ｄ２Ｄ−ＲＮＴＩ宛てのＰＤＣＣＨを検出し、該ＰＤＣＣＨに前記Ｄ２Ｄ  ｇｒｏｕｐ  ＩＤに属するＤ２Ｄグラントを含んでいる場合にランダムアクセス手順を終了する。
【００１３】
（６）また、本発明において、上記の端末装置における前記上位層処理部は、前記受信部で受信した信号から前記Ｃ−ＲＮＴＩ宛てのＰＤＣＣＨを検出し、該ＰＤＣＣＨが新規送信のための上りリンクグラントを含んでいる場合にランダムアクセス手順を終了する。
【００１４】
（７）また、本発明において、上記の端末装置における前記上位層処理部は、前記受信部で受信した信号から前記Ｄ２Ｄ−ＲＮＴＩ宛てのＰＤＣＣＨを検出し、該ＰＤＣＣＨがＤ２Ｄグラントを含んでいる場合にランダムアクセス手順を終了する。
【００１５】
（８）また、本発明において、上記の端末装置における前記上位層処理部は、前記受信部で受信した信号から前記Ｃ−ＲＮＴＩ宛ての第１のＰＤＣＣＨと前記Ｄ２Ｄ−ＲＮＴＩ宛ての第２のＰＤＣＣＨとを検出し、前記第１のＰＤＣＣＨが新規送信のための上りリンクグラントを含み、前記第２のＰＤＣＣＨがＤ２Ｄグラントを含んでいる場合にランダムアクセス手順を終了する。
【００１６】
（９）また、本発明の基地局装置は、端末装置と通信する基地局装置であって、前記端末装置からＤ２Ｄ−ＲＮＴＩを示す情報を含むメッセージ３を受信する受信部と、前記Ｄ２Ｄ−ＲＮＴＩ宛てのＰＤＣＣＨにＤ２Ｄグラントを含めるように処理する上位層処理部と、前記ＰＤＣＣＨを前記端末装置へ送信する送信部と、を備える。
【００１７】
（１０）また、本発明において、上記の基地局装置における前記受信部は前記メッセージ３でＤ２Ｄ  ｇｒｏｕｐ  ＩＤを示す情報を受信し、前記上位層処理部は、前記Ｄ２Ｄグラントに前記Ｄ２Ｄ  ｇｒｏｕｐ  ＩＤを示す情報を含めるように処理する。
【００１８】
（１１）また、本発明の集積回路は、他の端末装置および基地局装置と通信する端末装置に実装される集積回路であって、前記他の端末装置および前記基地局装置へ信号を送信する機能と、前記基地局装置からの信号を受信する機能と、前記他の端末装置および前記基地局装置へ送信するデータを保管する機能と、ランダムアクセス手順を処理する機能と、を含む一連の機能を前記端末装置へ発揮させ、前記基地局装置へランダムアクセスプリアンブルを送信し、前記ランダムアクセスプリアンブルに対応するランダムアクセス応答を受信し、かつ前記他の端末装置へ送信可能なデータが保管されている場合に、前記基地局装置へ送信するメッセージ３にＤ２Ｄ−ＲＮＴＩを示す情報を含めるように処理する。
【００１９】
（１２）また、本発明において、上記の集積回路は、前記基地局装置へ送信可能なデータが保管されている場合に、前記メッセージ３にＣ−ＲＮＴＩを示す情報を含めるように処理し、前記基地局装置から受信した信号から前記Ｃ−ＲＮＴＩ宛てまたは前記Ｄ２Ｄ−ＲＮＴＩ宛てのＰＤＣＣＨを検出し、前記ＰＤＣＣＨが新規送信のための上りリンクグラントまたはＤ２Ｄグラントを含んでいる場合にランダムアクセス手順を終了する。
【００２０】
（１３）また、本発明の集積回路は、端末装置と通信する基地局装置に実装される集積回路であって、前記端末装置からＤ２Ｄ−ＲＮＴＩを示す情報を含むメッセージ３を受信する機能と、前記Ｄ２Ｄ−ＲＮＴＩ宛てのＰＤＣＣＨにＤ２Ｄグラントを含めるように処理する機能と、前記ＰＤＣＣＨを前記端末装置へ送信する機能と、を含む一連の機能を前記端末装置へ発揮させる。
【００２１】
（１４）また、本発明の無線通信方法は、他の端末装置および基地局装置と通信する端末装置に用いられる無線通信方法であって、前記他の端末装置および前記基地局装置へ送信するデータを保管し、前記基地局装置へランダムアクセスプリアンブルを送信し、前記ランダムアクセスプリアンブルに対応するランダムアクセス応答を受信し、かつ前記他の端末装置へ送信可能なデータが保管されている場合に、前記基地局装置へ送信するメッセージ３にＤ２Ｄ−ＲＮＴＩを示す情報を含めるように処理する。
【００２２】
（１５）また、本発明において、上記の無線通信方法は、前記基地局装置へ送信可能なデータが保管されている場合に、前記メッセージ３にＣ−ＲＮＴＩを示す情報を含めるように処理し、前記基地局装置から受信した信号から前記Ｃ−ＲＮＴＩ宛てまたは前記Ｄ２Ｄ−ＲＮＴＩ宛てのＰＤＣＣＨを検出し、前記ＰＤＣＣＨが新規送信のための上りリンクグラントまたはＤ２Ｄグラントを含んでいる場合にランダムアクセス手順を終了する。
【００２３】
（１６）また、本発明の無線通信方法は、端末装置と通信する基地局装置に用いられる無線通信方法であって、前記端末装置からＤ２Ｄ−ＲＮＴＩを示す情報を含むメッセージ３を受信し、前記Ｄ２Ｄ−ＲＮＴＩ宛てのＰＤＣＣＨにＤ２Ｄグラントを含めるように処理し、前記ＰＤＣＣＨを前記端末装置へ送信する。
【発明の効果】
【００２４】
この発明によれば、端末装置は効率的にＤ２Ｄを行うことができ、基地局装置は該端末装置を制御することができる。
【図面の簡単な説明】
【００２５】
【図１】本発明の実施形態に係る無線通信システムの概念図である。
【図２】本発明の実施形態に係るの無線フレームの概略構成を示す図である。
【図３】本発明の実施形態に係るのスロットの構成を示す図である。
【図４】本発明の実施形態に係るＤ２Ｄリソースを示す図である。
【図５】本発明の実施形態に係るＭＡＣ  ＰＤＵの構成の一例を示す図である。
【図６】本発明の実施形態に係るＣ−ＲＮＴＩ  ＭＡＣ  ＣＥの構成の一例を示す図である。
【図７】本発明の実施形態に係るＣ−ＲＮＴＩ  ＭＡＣ  ＣＥの構成の一例を示す図である。
【図８】本発明の実施形態に係るＣ−ＲＮＴＩ  ＭＡＣ  ＣＥの構成の一例を示す図である。
【図９】本発明の実施形態に係るショートＢＳＲを用いたＢＳＲ  ＭＡＣ  ＣＥの構成の一例を示す図である。
【図１０】本発明の実施形態に係るロングＢＳＲを用いたＢＳＲ  ＭＡＣ  ＣＥの構成の一例を示す図である。
【図１１】本発明の実施形態に係るＤ２Ｄ  ＢＳＲ  ＭＡＣ  ＣＥの構成の一例を示す図である。
【図１２】本発明の実施形態に係るランダムアクセス手順に関連する情報を示す図である。
【図１３】本発明の実施形態に係る端末装置１の動作例１の手順を示すフロー図である。
【図１４】本発明の実施形態に係る端末装置１の別の動作例２の手順を示すフロー図である。
【図１５】本発明の実施形態に係る端末装置１の別の動作例３の手順を示すフロー図である。
【図１６】本発明の実施形態に係る端末装置１の別の動作例４の手順を示すフロー図である。
【図１７】本発明の実施形態に係る端末装置１の別の動作例５の手順を示すフロー図である。
【図１８】本発明の実施形態に係る端末装置１の構成を示す概略ブロック図である。
【図１９】本発明の実施形態に係る基地局装置３の構成を示す概略ブロック図である。
【発明を実施するための形態】
【００２６】
以下、本発明の実施形態について説明する。
【００２７】
本実施形態では、端末装置は、１つまたは複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルと称する。サービングセルは、ＥＵＴＲＡＮの通信のために用いられる。Ｄ２Ｄのために設定されるセルを、Ｄ２Ｄセルと称する。Ｄ２Ｄセルはサービングセルであってもよい。また、Ｄ２Ｄセルはサービングセル以外のセルであってもよい。
【００２８】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２９】
セルアグリゲーションの場合には、複数のセルの全てに対してＴＤＤ（Time Division Duplex）方式またはＦＤＤ（Frequency Division Duplex）方式が適用されてもよい。また、ＴＤＤ方式が適用されるセルとＦＤＤ方式が適用されるセルが集約されてもよい。
【００３０】
図１は、本実施形態の無線通信システムの概念図である。図１において、無線通信システムは、端末装置１Ａ〜１Ｃ、および、基地局装置３を具備する。端末装置１Ａ〜１Ｃを端末装置１という。サービングセル４は、基地局装置３（ＬＴＥ、ＥＵＴＲＡＮ）がカバーするエリア（範囲）を示す。端末装置１Ａは、ＥＵＴＲＡＮの範囲内（in-coverage）である。端末装置１Ｂおよび端末装置１Ｃは、ＥＵＴＲＡＮの範囲外（out-of-coverage）である。
【００３１】
上りリンク５は、端末装置１から基地局装置３へのリンクである。尚、上りリンク５において、リピータを介さずに、端末装置１から基地局装置３へ直接信号が送信されてもよい。下りリンク７は、基地局装置３から端末装置１へのリンクである。また、上りリンク５と下りリンク７とをセルラリンク、または、セルラ通信路とも称する。また、端末装置１と基地局装置３の通信をセルラ通信、または、ＥＵＴＲＡＮとの通信とも称する。
【００３２】
Ｄ２Ｄリンク９は、端末装置１間のリンクである。尚、Ｄ２Ｄリンク９をＤ２Ｄ通信路、ＰｒｏＳｅリンク、または、ＰｒｏＳｅ通信路とも称する。Ｄ２Ｄリンク９において、Ｄ２Ｄ発見およびＤ２Ｄ通信が行われる。Ｄ２Ｄ発見は、端末装置１がＥＵＴＲＡを用いて他の端末装置１と近接している（in proximity）ことを特定するプロセス／手順である。Ｄ２Ｄ通信は、複数の端末装置１間で確立されたＥＵＴＲＡＮ通信路を用いる、近接している複数の該端末装置１間の通信である。例えば、該通信路は端末装置１間に直接確立されてもよい。
【００３３】
本実施形態の物理チャネルおよび物理信号について説明する。
【００３４】
下りリンク物理チャネルおよび下りリンク物理信号を総称して、下りリンク信号と称する。上りリンク物理チャネルおよび上りリンク物理信号を総称して、上りリンク信号と称する。Ｄ２Ｄ物理チャネルおよびＤ２Ｄ物理信号を総称して、Ｄ２Ｄ信号と称する。物理チャネルは、上位層から出力された情報を送信するために使用される。物理信号は、上位層から出力された情報を送信するために使用されないが、物理層によって使用される。
【００３５】
図１において、端末装置１間のＤ２Ｄリンク９の無線通信では、以下のＤ２Ｄ物理チャネルが用いられる。
・ＰＤ２ＤＳＣＨ（Physical Device to Device Synchronization Channel）
・ＰＤ２ＤＤＣＨ（Physical Device to Device Data Channel）
【００３６】
ＰＤ２ＤＳＣＨは、同期に関する情報を送信するために用いられる。例えば、同期に関する情報は、Ｄ２Ｄフレーム番号、または、ＳＦＮ（System Frame Number）を示す情報などを含む。
【００３７】
ＰＤ２ＤＤＣＨは、Ｄ２Ｄデータ（ProSe communication Shared Channel: PSCH）およびＤ２ＤＳＡ（Device to Device Schedling Assignment）を送信するために用いられる。Ｄ２ＤデータおよびＤ２ＤＳＡは同じＰＤ２ＤＳＣＨにマップされない。Ｄ２ＤＳＡは、Ｄ２Ｄデータの送信のために用いられるＰＤ２ＤＳＣＨのスケジューリングのために用いられる。Ｄ２ＤＳＡは、Ｄ２Ｄデータの送信のために用いられるＰＤ２ＤＳＣＨのリソースを示す情報、宛先識別子（destination identity）を示す情報、ソース識別子（source identity）を示す情報などを含む。Ｄ２Ｄ発見に対応するＤ２ＤデータおよびＤ２ＤＳＡを発見信号（discovery signal）と称する。Ｄ２Ｄ通信に対応するＤ２ＤデータおよびＤ２ＤＳＡを通信信号（communication signal）と称する。
【００３８】
ＰＤ２ＤＳＣＨは、ＰＵＳＣＨ（Physical Uplink Shared Channel）であってもよい。すなわち、Ｄ２ＤデータおよびＤ２ＤＳＡの送信のためにＰＵＳＣＨが使用されてもよい。本実施形態では、Ｄ２Ｄのために使用されるＰＵＳＣＨをＰＤ２ＤＳＣＨと称する。本実施形態では、ＥＵＴＲＡＮとの通信に用いられるＰＵＳＣＨを、単にＰＵＳＣＨと記載する。ＰＵＳＣＨの詳細については後述する。
【００３９】
図１において、Ｄ２Ｄの無線通信では、以下のＤ２Ｄ物理信号が用いられる。
・Ｄ２Ｄ同期信号（D2D Synchronization Signal: D2DSS）
・Ｄ２Ｄ参照信号（D2D Reference Signal: D2DRS）
【００４０】
Ｄ２ＤＳＳは、Ｄ２Ｄリンクにおける同期をとるために用いられる。Ｄ２ＤＳＳは、ＰＤ２ＤＳＳ（Primary D2D Synchronization Signal）およびＳＤ２ＤＳＳ（Secondary D2D synchronization Signal）を含む。Ｄ２ＤＳＳは、ＰＤ２ＤＳＣＨの送信に関連する。Ｄ２ＤＳＳは、ＰＤ２ＤＳＣＨと時間多重されてもよい。端末装置１は、ＰＤ２ＤＳＣＨの伝搬路補正を行なうためにＤ２ＤＳＳを使用してもよい。
【００４１】
Ｄ２ＤＲＳは、ＰＤ２ＤＳＣＨまたはＰＤ２ＤＤＣＨの送信に関連する。Ｄ２ＤＲＳは、ＰＵＳＣＨまたはＰＵＣＣＨと時間多重されてもよい。端末装置１は、ＰＤ２ＤＳＣＨの伝搬路補正を行なうためにＤ２ＤＲＳを使用してもよい。
【００４２】
送信する端末装置１の観点から、端末装置１は、Ｄ２Ｄ通信のリソース割り当てに対する２つのモード（モード１、モード２）で動作できる。
【００４３】
モード１において、ＥＵＴＲＡＮ（基地局装置３）は、通信信号（Ｄ２ＤデータおよびＤ２ＤＳＡ）の送信のために端末装置１によって使用される正確なリソースをスケジュールする。
【００４４】
モード２において、端末装置１は、通信信号（Ｄ２ＤデータおよびＤ２ＤＳＡ）の送信のためにリソースプールからリソースを選択する。リソースプールは、リソースのセットである。モード２に対するリソースプールは、ＥＵＴＲＡＮ（基地局装置３）によって準静的（semi-static）に設定／制限されてもよい。または、モード２に対するリソースプールは予め設定（pre-configured）されていてもよい。
【００４５】
Ｄ２Ｄ通信の能力を持つ、ＥＵＴＲＡＮの範囲内（in-coverage）の端末装置１は、モード１およびモード２をサポートしてもよい。Ｄ２Ｄ通信の能力を持つ、ＥＵＴＲＡＮの範囲外（out-of-coverage）の端末装置１は、モード２のみをサポートしてもよい。
【００４６】
Ｄ２Ｄ発見手順として２つのタイプ（タイプ１、タイプ２）が定義される。
【００４７】
タイプ１のＤ２Ｄ発見手順は、発見信号に対するリソースが端末装置１に対して個別に割り当てられないＤ２Ｄ発見手順である。すなわち、タイプ１のＤ２Ｄ発見手順において、発見信号に対するリソースは全ての端末装置１または端末装置１のグループに対して割り当てられてもよい。
【００４８】
タイプ２のＤ２Ｄ発見手順は、発見信号に対するリソースが端末装置１に対して個別に割り当てられるＤ２Ｄ発見手順である。リソースが発見信号の個別の送信インスタンス（instance）のそれぞれに対して割り当てられる発見手順を、タイプ２Ａ発見手順と称する。リソースが発見信号の送信のために準永続的（semi-persistently）に割り当てられるタイプ２の発見手順を、タイプ２Ｂ発見手順と称する。
【００４９】
図１において、上りリンクの無線通信では、以下の上りリンク物理チャネルが用いられる。
・ＰＵＣＣＨ（Physical Uplink Control Channel）
・ＰＵＳＣＨ（Physical Uplink Shared Channel）
・ＰＲＡＣＨ（Physical Random Access Channel）
【００５０】
ＰＵＣＣＨは、上りリンク制御情報（Uplink Control Information: UCI）を送信するために用いられる物理チャネルである。
【００５１】
ＰＵＳＣＨは、上りリンクデータ（Uplink-Shared Channel: UL-SCH）および／またはＨＡＲＱ−ＡＣＫおよび／またはチャネル状態情報を送信するために用いられる物理チャネルである。
【００５２】
ＰＲＡＣＨは、ランダムアクセスプリアンブルを送信するために用いられる物理チャネルである。ＰＲＡＣＨは、初期コネクション確立（initial connection establishment）プロシージャ、ハンドオーバプロシージャ、コネクション再確立（connection re-establishment）プロシージャにおいて用いられる。
【００５３】
図１において、上りリンクの無線通信では、以下の上りリンク物理信号が用いられる。
・上りリンク参照信号（Uplink Reference Signal: UL RS）
【００５４】
本実施形態において、以下の２つのタイプの上りリンク参照信号が用いられる。
・ＤＭＲＳ（Demodulation Reference Signal）
・ＳＲＳ（Sounding Reference Signal）
【００５５】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。基地局装置３は、上りリンクのチャネル状態を測定するためにＳＲＳを使用する。
【００５６】
図１において、下りリンクの無線通信では、以下の下りリンク物理チャネルが用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００５７】
ＰＢＣＨは、端末装置１で共通に用いられるマスターインフォメーションブロック（Master Information Block: MIB, Broadcast Channel: BCH）を報知するために用いられる。例えば、ＭＩＢは、ＳＦＮを示す情報を含む。ＳＦＮ（system frame number）は無線フレームの番号である。ＭＩＢはシステム情報である。
【００５８】
ＰＣＦＩＣＨは、ＰＤＣＣＨの送信に用いられる領域（ＯＦＤＭシンボル）を指示する情報を送信するために用いられる。
【００５９】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータを送信するために用いられる。
【００６０】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）、上りリンクグラント（uplink grant）、および、Ｄ２Ｄグラント（D2D grant）を含む。下りリンクグラントは、下りリンクアサインメント（downlink assignment）または下りリンク割り当て（downlink allocation）とも称する。
【００６１】
上りリンクグラントは、単一のセル内の単一のＰＵＳＣＨのスケジューリングに用いられる。上りリンクグラントは、あるサブフレーム内の単一のＰＵＳＣＨのスケジューリングに用いられる。下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。Ｄ２Ｄグラントは、Ｄ２Ｄ通信のモード１に関連するＰＤ２ＤＤＣＨのスケジューリングに用いられる。
【００６２】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、ＳＰＳ  Ｃ−ＲＮＴＩ（Semi Persistent Scheduling Cell-Radio Network Temporary Identifier）、または、Ｄ２Ｄ−ＲＮＴＩ（D2D-Radio Network Temporary Identifier、ＰｒｏＳｅ−ＲＮＴＩとも称される）でスクランブルされる。Ｃ−ＲＮＴＩ、ＳＰＳ  Ｃ−ＲＮＴＩ、および、Ｄ２Ｄ−ＲＮＴＩは、セル内において端末装置１を識別するための識別子である。Ｃ−ＲＮＴＩは、単一のサブフレームにおけるＰＤＳＣＨのリソースまたはＰＵＳＣＨのリソースを制御するために用いられる。ＳＰＳ  Ｃ−ＲＮＴＩは、ＰＤＳＣＨまたはＰＵＳＣＨのリソースを周期的に割り当てるために用いられる。Ｄ２Ｄ−ＲＮＴＩは、Ｄ２Ｄグラントの送信のために用いられる。すなわち、Ｄ２Ｄ−ＲＮＴＩは、モード１のＤ２Ｄ通信のためのＰＤ２ＤＳＣＨのスケジューリングに用いられる。
【００６３】
ＰＤＳＣＨは、下りリンクデータ（Downlink Shared Channel: DL-SCH）を送信するために用いられる。
【００６４】
ＰＭＣＨは、マルチキャストデータ（Multicast Channel: MCH）を送信するために用いられる。
【００６５】
図１において、下りリンクの無線通信では、以下の下りリンク物理信号が用いられる。
・同期信号（Synchronization signal: SS）
・下りリンク参照信号（Downlink Reference Signal: DL RS）
【００６６】
同期信号は、端末装置１が下りリンクの周波数領域および時間領域の同期をとるために用いられる。ＦＤＤ方式において、同期信号は無線フレーム内のサブフレーム０と５に配置される。
【００６７】
下りリンク参照信号は、端末装置１が下りリンク物理チャネルの伝搬路補正を行なうために用いられる。下りリンク参照信号は、端末装置１が下りリンクのチャネル状態情報を算出するために用いられる。下りリンク参照信号は、端末装置１が自装置の地理的な位置を測定するために用いられる。
【００６８】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
【００６９】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００７０】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨは、ＣＲＳの送信に用いられるアンテナポートまたはＵＲＳの送信に用いられるアンテナポートで送信される。
【００７１】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００７２】
ＮＺＰ  ＣＳＩ−ＲＳは、設定されたサブフレームで送信される。ＮＺＰ  ＣＳＩ−ＲＳが送信されるリソースは、基地局装置３が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００７３】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００７４】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００７５】
ＰＳＣＨ、ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルにおけるデータの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７６】
本実施形態の無線フレーム（radio frame）の構造（structure）について説明する。
【００７７】
ＬＴＥでは、２つの無線フレーム構造がサポートされる。２つの無線フレーム構造は、フレーム構造タイプ１とフレーム構造タイプ２である。フレーム構造タイプ１はＦＤＤに適用可能である。フレーム構造タイプ２はＴＤＤに適用可能である。
【００７８】
図２は、本実施形態の無線フレームの概略構成を示す図である。図２において、横軸は時間軸である。また、タイプ１およびタイプ２の無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００７９】
フレーム構造タイプ２に対して、以下の３つのタイプのサブフレームが定義される。
・下りリンクサブフレーム
・上りリンクサブフレーム
・スペシャルサブフレーム
【００８０】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００８１】
フレーム構造タイプ２の無線フレームは、少なくとも下りリンクサブフレーム、上りリンクサブフレーム、およびスペシャルサブフレームから構成される。
【００８２】
本実施形態のスロットの構成について説明する。
【００８３】
図３は、本実施形態のスロットの構成を示す図である。図３において、ＯＦＤＭシンボルまたはＳＣ−ＦＤＭＡシンボルに対してノーマルＣＰ（Cyclic Prefix）が適用される。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。例えば、Ｄ２Ｄリンクにおいて、リソースグリッドは複数のサブキャリアと複数のＳＣ−ＦＤＭＡシンボルによって定義されてもよい。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００８４】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００８５】
尚、ＯＦＤＭシンボルまたはＳＣ−ＦＤＭＡシンボルに対して拡張（extended）ＣＰが適用されてもよい。拡張ＣＰの場合、１つのスロットを構成するＯＦＤＭシンボルまたはＳＣ−ＦＤＭＡシンボルの数は７である。
【００８６】
本実施形態の物理チャネルおよび物理信号の配置について説明する。
【００８７】
図４は、本実施形態のＤ２Ｄリソースを示す図である。Ｄ２Ｄのためにリザーブされるリソースを、Ｄ２Ｄリソースと称する。図４において、横軸は時間軸であり、縦軸は周波数軸である。図４において、Ｄは下りリンクサブフレームを示し、Ｓはスペシャルサブフレームを示し、Ｕは上りリンクサブフレームを示す。１つのＦＤＤセルは、１つの下りリンクキャリアおよび１つの上りリンクキャリアに対応する。１つのＴＤＤセルは１つのＴＤＤキャリアに対応する。
【００８８】
ＦＤＤセルにおいて、セルラ通信に対して用いられる下りリンク信号は下りリンクキャリアのサブフレームに配置され、セルラ通信に対して用いられる上りリンク信号は上りリンクキャリアのサブフレームに配置され、Ｄ２Ｄに対して用いられるＤ２Ｄ信号は上りリンクキャリアのサブフレームに配置される。下りリンクにおいてセルに対応するキャリアを下りリンクコンポーネントキャリアと称する。また、上りリンクにおいてセルに対応するキャリアを上りリンクコンポーネントキャリアと称する。ＴＤＤキャリアは、下りリンクコンポーネントキャリアであり、かつ、上りリンクコンポーネントキャリアである。
【００８９】
ＴＤＤセルにおいて、セルラ通信に対して用いられる下りリンク信号は下りリンクサブフレームおよびＤｗＰＴＳに配置され、セルラ通信に対して用いられる上りリンク信号は上りリンクサブフレームおよびＵｐＰＴＳに配置され、Ｄ２Ｄに対して用いられるＤ２Ｄ信号は上りリンクサブフレームおよびＵｐＰＴＳに配置される。
【００９０】
基地局装置３は、Ｄ２ＤのためにリザーブされるＤ２Ｄリソースを制御する。基地局装置３は、ＦＤＤセルの上りリンクキャリアのリソースの一部をＤ２Ｄリソースとしてリザーブする。基地局装置３は、ＴＤＤセルの上りリンクサブフレームおよびＵｐＰＴＳのリソースの一部をＤ２Ｄリソースとしてリザーブする。
【００９１】
基地局装置３は、セルのそれぞれにおいてリザーブされたＤ２Ｄリソースのセット（プール）を示す情報を含む上位層の信号を、端末装置１に送信してもよい。端末装置１は、セルのそれぞれにおいてリザーブされたＤ２Ｄリソースを示すパラメータD2D-ResourceConfigを、基地局装置３から受信した上位層の信号に基づいてセットする。すなわち、基地局装置３は、セルのそれぞれにおいてリザーブされたＤ２Ｄリソースを示すパラメータD2D-ResourceConfigを、上位層の信号を介して端末装置１にセットする。
【００９２】
ＰＤ２ＤＳＣＨおよびＤ２ＤＳＳは、上りリンクコンポーネントキャリアの中心周波数の周りの６２サブキャリアを用いて送信される。
【００９３】
基地局装置３は、Ｄ２Ｄのためにリザーブされるリソースの１つまたは複数のセットを示す１つまたは複数のパラメータを、上位層の信号を介して端末装置１にセットしてもよい。
【００９４】
ＰＤ２ＤＳＣＨおよびＤ２ＤＳＳのためのリソースのセットと、ＰＤ２ＤＤＣＨのためにリザーブされるリソースのセットは、個別に設定されてもよい。
【００９５】
Ｄ２Ｄ発見のタイプ１、Ｄ２Ｄ発見のタイプ２、Ｄ２Ｄ通信のモード１、および、Ｄ２Ｄ通信のモード２のそれぞれのためのリソースのセットは、個別に設定されてもよい。
【００９６】
Ｄ２Ｄの送信および受信のためのリソースのセットは、個別に設定されてもよい。
【００９７】
さらに、Ｄ２Ｄデータの送信に関するＰＤ２ＤＤＣＨのためのリソースのセットと、Ｄ２ＤＳＡの送信に関するＰＤ２ＤＤＣＨのためのリソースのセットは、個別に設定されてもよい。
【００９８】
端末装置１の観点から、上述したリソースのセットのうち一部のリソースのセットは、透過的（transparent）であってもよい。例えば、Ｄ２Ｄ通信のＤ２ＤデータのためのＰＤ２ＤＤＣＨは、Ｄ２ＤＳＡによってスケジュールされるため、端末装置１は、Ｄ２Ｄ通信のＤ２Ｄデータに関するＰＤ２ＤＤＣＨの受信／モニタのためのリソースのセットを設定しなくてもよい。
【００９９】
３ＧＰＰにおいて、Ｄ２Ｄは、ＰＳ（Public Safety）のために用いられることが検討されている。基地局装置３は、Ｄ２ＤリソースのセットのそれぞれがＰＳのためのリソースのセットであるかどうかを、端末装置１に通知してもよい。また、端末装置１は、ＥＵＴＲＡＮを介して、ＰＳのためのＤ２Ｄが認証されてもよい。すなわち、ＰＳのためのＤ２Ｄが認証されていない端末装置１は、ＰＳのためのリソースのセットでＤ２Ｄを行うことができない。
【０１００】
本実施形態のＣＰ長の設定方法について説明する。
【０１０１】
基地局装置３は、上りリンクおよび下りリンクのＣＰ長を制御する。基地局装置３は、サービングセル毎に上りリンクおよび下りリンクのＣＰ長を個別に制御してもよい。
【０１０２】
端末装置１は、サービングセルに対する同期信号および／またはＰＢＣＨに基づいて、ＰＭＣＨおよびＭＢＳＦＮ  ＲＳを除く、サービングセルに対する下りリンク信号のＣＰ長を検出する。ＰＭＣＨおよびＭＢＳＦＮ  ＲＳに対して常に拡張ＣＰが適用される。
【０１０３】
基地局装置３は、サービングセルにおける上りリンク信号のＣＰ長を示す情報を含む上位層の信号を、端末装置１に送信する。端末装置１は、サービングセルにおける上りリンクのＣＰ長を示すパラメータUL-CyclicPrefixLengthを、基地局装置３から受信した上位層の信号に基づいてセットする。すなわち、基地局装置３は、サービングセルにおける上りリンクのＣＰ長を示すパラメータUL-CyclicPrefixLengthを、上位層の信号を介して端末装置１にセットする。
【０１０４】
基地局装置３は、Ｄ２Ｄに対するＣＰ長を示す情報を含む上位層の信号を、端末装置１に送信してもよい。端末装置１は、Ｄ２Ｄに対するＣＰ長を示すパラメータD2D-CyclicPrefixLengthを、基地局装置３から受信した上位層の信号に基づいてセットしてもよい。すなわち、基地局装置３は、Ｄ２Ｄに対するＣＰ長を示すパラメータD2D-CyclicPrefixLengthを、上位層の信号を介して端末装置１にセットしてもよい。
【０１０５】
ＰＤ２ＤＳＣＨおよびＤ２ＤＳＳのＣＰ長と、ＰＤ２ＤＤＣＨのＣＰ長は、個別に設定されてもよい。
【０１０６】
Ｄ２Ｄ発見のタイプ１、Ｄ２Ｄ発見のタイプ２、Ｄ２Ｄ通信のモード１、および、Ｄ２Ｄ通信のモード２のそれぞれのためのＣＰ長は、個別に設定されてもよい。
【０１０７】
Ｄ２Ｄデータの送信に関するＰＤ２ＤＤＣＨのためのＣＰ長と、Ｄ２ＤＳＡの送信に関するＰＤ２ＤＤＣＨのＣＰ長は、個別に設定されてもよい。
【０１０８】
ＰＤ２ＤＳＣＨおよびＤ２ＤＳＳのＣＰ長は、予め仕様などで定義され、固定であってもよい。Ｄ２ＤＳＡの送信に関するＰＤ２ＤＤＣＨのＣＰ長は、予め仕様などで定義され、固定であってもよい。
【０１０９】
図５に、本実施形態に係るＭＡＣ  ＰＤＵの構成の一例を示す。１つのＭＡＣ  ＰＤＵは１つのＭＡＣヘッダと０個以上のＭＡＣサービスデータユニット（MAC Service Data Units：ＭＡＣ  ＳＤＵ）と０個以上のＭＡＣ制御要素（MAC Control Element：ＭＡＣ  ＣＥ）とパディングにより構成される。
【０１１０】
ＭＡＣヘッダは複数のサブヘッダから構成され、各サブヘッダが同一ＭＡＣ  ＰＤＵ内のＭＡＣ  ＳＤＵ、ＭＡＣ  ＣＥ、およびパディングに対応する。サブヘッダには、対応するＭＡＣ  ＳＤＵ、ＭＡＣ  ＣＥ、あるいはパディングの論理チャネルＩＤが示される他、必要に応じて対応するＭＡＣ  ＳＤＵやＭＡＣ  ＣＥのサイズなどの情報やパディングビットが含まれる。
【０１１１】
ＵＬ−ＳＣＨにマッピングされるＭＡＣ  ＰＤＵにおいて適用可能なＭＡＣ  ＣＥには上りリンクのバッファステータスレポート（Buffer Status Report：ＢＳＲ）を報告するための  ＢＳＲ  ＭＡＣ  ＣＥ（ＭＡＣ  ＢＳＲ  ＣＥと称される場合がある）、Ｄ２ＤリンクのＢＳＲを報告するためのＤ２Ｄ  ＢＳＲ  ＭＡＣ  ＣＥ、Ｃ−ＲＮＴＩ（Cell-Radio. Network Temporary Identifier）を通知するためのＣ−ＲＮＴＩ  ＭＡＣ  ＣＥ、Ｄ２Ｄ−ＲＮＴＩ（D2D-Radio. Network Temporary Identifier、ProSe RNTIと称される場合もある）を通知するためのＤ２Ｄ−ＲＮＴＩ  ＭＡＣ  ＣＥ、パワーヘッドルーム（Power Headroom：ＰＨ、送信電力余力）レポートを報告するためのＰＨ  ＭＡＣ  ＣＥが含まれる。また、Ｄ２Ｄリンクを構成する端末装置１のグループを識別するためのＤ２Ｄ  ｇｒｏｕｐ  ＩＤ  ＭＡＣ  ＣＥ（ProSe group ID MAC CE）が含まれても良い。
【０１１２】
ＢＳＲ  ＭＡＣ  ＣＥは、端末装置１における上りリンクバッファに含まれる送信可能なデータ量に関する情報を基地局装置３に提供するために使用される。Ｄ２Ｄ  ＢＳＲ  ＭＡＣ  ＣＥは、端末装置１におけるＤ２Ｄバッファに含まれる送信可能なデータ量に関する情報を基地局装置３に提供するために使用される。ＢＳＲに関する説明は後述する。
【０１１３】
Ｃ−ＲＮＴＩ  ＭＡＣ  ＣＥは、セルラリンクにおいてセル内の端末装置１を識別するためのＣ−ＲＮＴＩを含む。図６はＣ−ＲＮＴＩ  ＭＡＣ  ＣＥの構成を示す一例である。Ｃ−ＲＮＴＩ  ＭＡＣ  ＣＥは端末装置１のＣ−ＲＮＴＩを含むＣ−ＲＮＴＩフィールドから構成される。Ｃ−ＲＮＴＩフィールドの長さは１６ビット（２オクテット）である。Ｃ−ＲＮＴＩ  ＭＡＣ  ＣＥであることは、対応するＭＡＣ  ＰＤＵサブヘッダにより識別される。
【０１１４】
Ｄ２Ｄ−ＲＮＴＩ  ＭＡＣ  ＣＥは、Ｄ２Ｄリンクにおいて端末装置１を識別するためのＤ２Ｄ−ＲＮＴＩを含む。図７はＤ２Ｄ−ＲＮＴＩ  ＭＡＣ  ＣＥの構成を示す一例である。Ｄ２Ｄ−ＲＮＴＩ  ＭＡＣ  ＣＥは端末装置１のＤ２Ｄ−ＲＮＴＩを含むＤ２Ｄ−ＲＮＴＩフィールドから構成される。Ｄ２Ｄ−ＲＮＴＩフィールドの長さは１６ビット（２オクテット）である。Ｄ２Ｄ−ＲＮＴＩ  ＭＡＣ  ＣＥであることは、対応するＭＡＣ  ＰＤＵサブヘッダにより識別される。
【０１１５】
Ｄ２Ｄ  ｇｒｏｕｐ  ＩＤ  ＭＡＣ  ＣＥは、Ｄ２Ｄ通信を行なう端末装置１のグループを識別するためのＤ２Ｄ  ｇｒｏｕｐ  ＩＤを含む。図８はＤ２Ｄ  ｇｒｏｕｐ  ＩＤ  ＭＡＣ  ＣＥの構成を示す一例である。Ｄ２Ｄ  ｇｒｏｕｐ  ＩＤ  ＭＡＣ  ＣＥは端末装置１が属するＤ２Ｄ  ｇｒｏｕｐ  ＩＤを含むＤ２Ｄ  ｇｒｏｕｐ  ＩＤフィールドから構成される。Ｄ２Ｄ  ｇｒｏｕｐ  ＩＤフィールドの長さは８ビット（１オクテット）である。Ｄ２Ｄ  ｇｒｏｕｐ  ＩＤ  ＭＡＣ  ＣＥであることは、対応するＭＡＣ  ＰＤＵサブヘッダにより識別される。
【０１１６】
次に本実施形態に係るＢＳＲについて以下に説明する。
【０１１７】
上りリンクにおいて、発生した送信可能なデータが属する論理チャネルは複数の論理チャネルグループ（Logical Channel Group：ＬＣＧ）の何れかに分類される。上りリンクＢＳＲでは、各ＬＣＧに対応した上りリンクデータの送信データバッファ量をＭＡＣ層のメッセージとして基地局装置３に通知する。
【０１１８】
上りリンクＢＳＲは、トリガーされる条件により、レギュラーＢＳＲ（regular BSR）、周期的ＢＳＲ（periodic BSR）、およびパディングＢＳＲ（padding BSR）を含む。
【０１１９】
レギュラーＢＳＲは、あるＬＣＧに属する論理チャネルのデータが送信可能になり、かつその送信優先順位がいずれかのＬＣＧに属する既に送信可能な論理チャネルより高い場合か、いずれかのＬＣＧに属する論理チャネルにおいて送信可能なデータがない場合にトリガーされる。また、レギュラーＢＳＲは、所定の再送タイマーｒｅｔｘＢＳＲ−Ｔｉｍｅｒが満了し、かつＵＥがあるＬＣＧに属する論理チャネルで送信可能なデータを持つ場合にトリガーされる。
【０１２０】
周期的ＢＳＲは、所定の周期的タイマーｐｅｒｉｏｄｉｃＢＳＲ−Ｔｉｍｅｒが満了した場合にトリガーされる。
【０１２１】
パディングＢＳＲは、ＵＬ−ＳＣＨが割り当てられており、かつパディングビット数がＢＳＲ  ＭＡＣ  ＣＥとそのサブヘッダのサイズに等しいか、又はそれより大きい場合にトリガーされる。
【０１２２】
また、上りリンクＢＳＲを送信するＭＡＣ  ＣＥのフォーマットにはロングＢＳＲ（Long BSR）、ショートＢＳＲ（Short BSR）、および短縮ＢＳＲ（Truncated BSR）が含まれる。
【０１２３】
図９にＬＣＧの数が４である場合のショートＢＳＲあるいは短縮ＢＳＲを用いたＢＳＲ  ＭＡＣ  ＣＥの構成の一例を示す。図９において、ショートＢＳＲあるいは短縮ＢＳＲはどのＬＣＧのバッファステータスレポートであるかを示す２ビットのＬＣＧ  ＩＤフィールドと該ＬＣＧのバッファサイズを示す６ビットのバッファサイズフィールドの計８ビット（１オクテット）で構成され、１つのＬＣＧのバッファステータスレポートを送信することが可能である。
【０１２４】
バッファサイズフィールドは、ＴＴＩ（Transmission Time Interval：送信時間間隔）に対する全てのＭＡＣ  ＰＤＵが構築（built）された後の論理チャネルグループの全ての論理チャネルに渡る利用可能なデータの総量を示す。
【０１２５】
図１０にＬＣＧの数が４である場合のロングＢＳＲを用いたＢＳＲ  ＭＡＣ  ＣＥの構成の一例を示す。図１０において、ロングＢＳＲはＬＣＧ  ＩＤが＃０から＃３であるＬＣＧ各々のバッファサイズを示す４つのバッファサイズフィールドの計２４ビット（３オクテット）で構成され、４つのＬＣＧ全てのバッファステータスレポートを送信することが可能である。
【０１２６】
レギュラーＢＳＲおよび周期的ＢＳＲを行う場合、ＢＳＲを送信するＴＴＩにおいて、２つ以上のＬＣＧで送信可能なデータが存在する場合、端末装置１はロングＢＳＲをレポートし、その他の場合にはショートＢＳＲをレポートする。
【０１２７】
パディングＢＳＲを行う場合、ＢＳＲを送信するＴＴＩにおいてパディングビット数がロングＢＳＲを送信するＭＡＣ  ＣＥとそのサブヘッダのサイズ以上である場合、端末装置１はロングＢＳＲをレポートする。パディングビット数がロングＢＳＲを送信するＭＡＣ  ＣＥとそのサブヘッダのサイズ未満であるが、ショートＢＳＲを送信するＭＡＣ  ＣＥとそのサブヘッダのサイズ以上である場合、端末装置１は次の動作を行う。２つ以上のＬＣＧで送信可能なデータが存在する場合、最も優先度の高いＬＣＧの短縮ＢＳＲをレポートし、その他の場合ショートＢＳＲをレポートする。
【０１２８】
全てのトリガーされた上りリンクＢＳＲは以下の場合にキャンセルされる。
（１）ＭＡＣ  ＰＤＵにＢＳＲが含まれる場合
（２）上りリンクグラントにより割り当てられたＵＬ−ＳＣＨでバッファ内の全ての上りリンクデータを送信可能であるが、追加してＢＳＲ  ＭＡＣ  ＣＥとそのサブヘッダを送るためにはリソースが不足している場合
【０１２９】
次に本実施形態に係るＤ２Ｄ  ＢＳＲについて以下に説明する。
【０１３０】
Ｄ２Ｄ  ＢＳＲでは、Ｄ２Ｄ通信において使用可能な論理チャネルにおけるＤ２Ｄ送信データのバッファ量をＭＡＣ層のメッセージとして基地局装置に通知する。Ｄ２Ｄ  ＢＳＲの一態様では、Ｄ２Ｄ通信において使用可能な論理チャネルを１種類としてＤ２Ｄ  ＢＳＲは該論理チャネルにおける送信データバッファ量を通知する。ただし、Ｄ２Ｄ通信において使用可能な論理チャネルが２種類以上である場合、上りリンクＢＳＲと同様に各論理チャネルの送信データバッファ量、または２種類以上の論理チャネルからなるＬＣＧ毎の送信データバッファ量を通知してもよい。また、Ｄ２Ｄ  ＢＳＲのトリガー条件は、上りリンクＢＳＲと同様に、レギュラーＢＳＲ、周期的ＢＳＲ、およびパディングＢＳＲの全てが用いられてもよいし、一部のトリガー条件のみ用いられてもよい。
【０１３１】
図１１にＤ２Ｄ  ＢＳＲ  ＭＡＣ  ＣＥの構成の一例を示す。図１１において、Ｄ２Ｄ  ＢＳＲ  ＭＡＣ  ＣＥはどのＬＣＧのバッファステータスレポートであるかを示す２ビットのＬＣＧ  ＩＤフィールドと該ＬＣＧのバッファサイズを示す６ビットのバッファサイズフィールド、更にＤ２Ｄ通信を行なう端末装置１のグループを特定するための８ビットのグループＩＤフィールドの計１６ビット（２オクテット）で構成され、１つのＬＣＧのバッファステータスレポートを送信することが可能である。
【０１３２】
ただし、ＭＡＣ  ＰＤＵに含まれる上記のＭＡＣ  ＣＥを構成する各フィールドのサイズは一例であり、これらのフィールドのサイズには異なるものが用いられても良い。
【０１３３】
本実施形態のランダムアクセス手順（Randome Access procedure）について説明する。
【０１３４】
ランダムアクセス手順は、競合ベース（ｃｏｎｔｅｎｔｉｏｎ  ｂａｓｅｄ）と非競合ベース（ｎｏｎ−Ｃｏｎｔｅｎｔｉｏｎ  ｂａｓｅｄ）の２つの手順に分類される。
【０１３５】
競合ベースのランダムアクセス手順は、基地局装置３と接続（通信）していない状態からの初期アクセス時、および／または、基地局装置３と接続中であるが上りリンク同期が調整されていない状態で端末装置１に送信可能な上りリンクデータあるいは送信可能なＤ２Ｄデータが発生した場合のスケジューリングリクエスト時などに行なわれる。
【０１３６】
端末装置１に送信可能な上りリンクデータが発生していることは、送信可能な上りリンクデータに対応するバッファステータスレポートがトリガーされていることを含んでもよい。端末装置１に送信可能な上りリンクデータが発生していることは、送信可能な上りリンクデータの発生に基づいてトリガーされたスケジューリングリクエストがペンディングされていることを含んでもよい。
【０１３７】
端末装置１に送信可能なＤ２Ｄデータが発生していることは、送信可能なＤ２Ｄデータに対応するバッファステータスレポートがトリガーされていることを含んでもよい。端末装置１に送信可能なＤ２Ｄデータが発生していることは、送信可能なＤ２Ｄデータの発生に基づいてトリガーされたスケジューリングリクエストがペンディングされていることを含んでもよい。
【０１３８】
例えば、送信可能な上りリンクデータあるいは送信可能なＤ２Ｄデータの発生に基づいてトリガーされたスケジューリングリクエストがペンディングされており、モード１が設定された端末装置１が送信のために利用可能なＵＬ−ＳＣＨ（ＰＵＳＣＨ）リソースを持っていなく、モード１が設定された端末装置１が設定されたスケジューリングリクエストに対する有効なＰＵＣＣＨリソースを持っていない場合、モード１が設定された端末装置１は競合ベースのランダムアクセス手順を開始（initiate）してもよい。
【０１３９】
以下、ランダムアクセス手順の説明において、上位層によってＤ２Ｄ通信のモード１が設定された端末装置１を、単に端末装置１と記載する。
【０１４０】
非競合ベースのランダムアクセス手順は、基地局装置３から指示された端末装置１が用いる手順であり、基地局装置３と端末装置１とが接続中であるがハンドオーバーや移動局装置の送信タイミングが有効でない場合に、迅速に端末装置１と基地局装置３との間の上りリンク同期をとるために用いられる。
【０１４１】
本実施形態における競合ベースのランダムアクセス手順について説明する。
【０１４２】
図１２に示すように、競合ベースのランダムアクセス手順は端末装置１と基地局装置３との間の４種類のメッセージの送受信により実現される。
【０１４３】
＜メッセージ１（Ｓ９００）＞
送信可能な上りリンクデータあるいは送信可能なＤ２Ｄデータが発生した端末装置１は、基地局装置３に対して、物理ランダムアクセスチャネル（PRACH; Physical Random Access Channel）でランダムアクセスのためのプリアンブル（ランダムアクセスプリアンブルと称する）を送信する。この送信されるランダムアクセスプリアンブルをメッセージ１またはＭｓｇ１と称する。ランダムアクセスプリアンブルは、複数のシーケンスによって基地局装置３へ情報を通知するように構成される。例えば、６４種類のシーケンスが用意されている場合、６ビットの情報を基地局装置３へ示すことができる。この情報は、ランダムアクセスプリアンブル識別子（Random Access preamble Identifier）として示される。
【０１４４】
＜メッセージ２（Ｓ９０２）＞
ランダムアクセスプリアンブルを受信した基地局装置３は、端末装置１に送信を指示するための上りリンクグラントを含むランダムアクセス応答（Random Access Response）を生成し、生成したランダムアクセス応答をＰＤＳＣＨで端末装置１へ送信する。ランダムアクセス応答を、メッセージ２またはＭｓｇ２と称する。また、基地局装置３は、受信したランダムアクセスプリアンブルから端末装置１と基地局装置３との間の送信タイミングのずれを算出し、該ずれを調整するための送信タイミング調整情報をメッセージ２に含める。また、基地局装置３は、受信したランダムアクセスプリアンブルに対応したランダムアクセスプリアンブル識別子をメッセージ２に含める。また、基地局装置３は、ランダムアクセスプリアンブルを送信した端末装置１宛てのランダムアクセス応答を示すためのＲＡ−ＲＮＴＩ（ランダムアクセスレスポンス識別情報：Random Access-Radio Network Temporary Identity）を、ＰＤＣＣＨで送信する。ＲＡ−ＲＮＴＩは、ランダムアクセスプリアンブルを送信した物理ランダムアクセスチャネルの位置情報に応じて決定される。
【０１４５】
＜メッセージ３（Ｓ９０４）＞
ランダムアクセスプリアンブルを送信した端末装置１は、該ランダムアクセスプリアンブル送信後の複数のサブフレーム期間（ＲＡ応答ウィンドウと称される）内で、ＲＡ−ＲＮＴＩによって識別されるランダムアクセス応答に対するＰＤＣＣＨのモニタリングを行う。ランダムアクセスプリアンブルを送信した端末装置１は、該当するＲＡ−ＲＮＴＩを検出した場合に、ＰＤＳＣＨに配置されたランダムアクセス応答の復号を行う。復号に成功した端末装置１は、ランダムアクセス応答に送信したランダムアクセスプリアンブルに対応したランダムアクセスプリアンブル識別子が含まれるか否か確認し、ランダムアクセスプリアンブル識別子が含まれる場合、ランダムアクセス応答に示される送信タイミング調整情報を用いて同期のずれを補正する。また、端末装置１は受信したランダムアクセス応答に含まれる上りリンクグラントを用いて、バッファに保管されているデータを基地局装置３へ送信する。この時上りリンクグラントを用いて送信されるデータをメッセージ３またはＭｓｇ３と称する。
【０１４６】
また、端末装置１は、復号に成功したランダムアクセス応答が一連のランダムアクセス手順において初めて受信に成功したものであった場合に、送信するメッセージ３に端末装置１を識別するための情報を含める。該端末装置１を識別するための情報は、発生した送信データが上りリンクデータである場合はＣ−ＲＮＴＩを示し、発生した送信データがＤ２Ｄデータである場合はＤ２Ｄ−ＲＮＴＩを示す。発生した送信データの種類は、例えば、論理チャネルＩＤで識別される。端末装置１は発生したデータが属する論理チャネルのＬＣＩＤが上りリンクデータのものである場合、後の(subsequent)上りリンク送信にＣ−ＲＮＴＩ  ＭＡＣ  ＣＥを含めて基地局装置３へ送信する。端末装置１は発生したデータが属する論チャネルのＬＣＩＤがＤ２Ｄデータのものである場合、後の(subsequent)上りリンク送信にＤ２Ｄ−ＲＮＴＩ  ＭＡＣ  ＣＥを含めて基地局装置３へ送信する。Ｃ−ＲＮＴＩ  ＭＡＣ  ＣＥは、Ｃ−ＲＮＴＩを示す。Ｄ２Ｄ−ＲＮＴＩ  ＭＡＣ  ＣＥは、Ｄ２Ｄ−ＲＮＴＩを示す。
【０１４７】
＜メッセージ４（Ｓ９０６）＞
基地局装置３は、ランダムアクセス応答で端末装置１のメッセージ３に対して割り当てたリソースで上りリンク送信を受信すると、受信したメッセージ３に含まれるＣ−ＲＮＴＩ  ＭＡＣ  ＣＥあるいはＤ２Ｄ−ＲＮＴＩ  ＭＡＣ  ＣＥを検出する。そして、該端末装置１と接続を確立する場合、基地局装置３は検出したＣ−ＲＮＴＩあるいは検出したＤ２Ｄ−ＲＮＴＩ宛てにＰＤＣＣＨを送信する。基地局装置３は、検出したＣ−ＲＮＴＩ宛てにＰＤＣＣＨを送信する場合、該ＰＤＣＣＨに上りリンクグラントを含め、検出したＤ２Ｄ−ＲＮＴＩ宛てにＰＤＣＣＨを送信する場合、該ＰＤＣＣＨにＤ２Ｄグラントを含める。基地局が送信するこれらのＰＤＣＣＨはメッセージ４、Ｍｓｇ４あるいはコンテンションレゾリューションメッセージと称される。
【０１４８】
メッセージ３を送信した端末装置１は、基地局装置３からのメッセージ４をモニタリングする期間を定めたコンテンションレゾリューションタイマー（mac-ContentionResolutionTimer）を開始し、タイマー内で基地局から送信されるＰＤＣＣＨの受信を試みる。メッセージ３でＣ−ＲＮＴＩ  ＭＡＣ  ＣＥを送信した端末装置１は、送信したＣ−ＲＮＴＩ宛てのＰＤＣＣＨを基地局装置３から受信し、かつ該ＰＤＣＣＨに新規送信のための上りリンクグラントが含まれていた場合、他の端末装置１との衝突解消（コンテンションレゾリューション：Contetntion Resolution）に成功したものとみなし、コンテンションレゾリューションタイマーを停止し、ランダムアクセス手順を終了する。また、メッセージ３でＤ２Ｄ−ＲＮＴＩ  ＭＡＣ  ＣＥを送信した端末装置１は、送信したＤ２Ｄ−ＲＮＴＩ宛てのＰＤＣＣＨを基地局装置３から受信し、かつ該ＰＤＣＣＨにＤ２Ｄグラントが含まれていた場合、他の端末装置１との衝突解消（Contetntion Resolution）に成功したものとみなし、コンテンションレゾリューションタイマーを停止し、ランダムアクセス手順を終了する。タイマー期間内で、自装置がメッセージ３で送信したＣ−ＲＮＴＩあるいはＤ２Ｄ−ＲＮＴＩ宛てのＰＤＣＣＨの受信が確認できなかった場合は、コンテンションレゾリューションが成功しなかったとみなし、端末装置１は再度ランダムアクセスプリアンブルの送信を行い、ランダムアクセス手順を続行する。ただし、ランダムアクセスプリアンブルの送信を所定の回数繰り返し、コンテンションレゾリューションに成功しなかった場合には、ランダムアクセスに問題があると判定し、上位層にランダムアクセスプロブレムを指示する。例えば、上位層は、ランダムアクセスプロブレムに基づいてＭＡＣエンティティをリセットしてもよい。上位層によってＭＡＣエンティティのリセットを要求された場合、端末装置１は、ランダムアクセス手順をストップする。
【０１４９】
以上の４つのメッセージの送受信により、端末装置１は基地局装置３との同期をとり、基地局装置３に対する上りリンクデータ送信または他の端末装置１に対するモード１のＤ２Ｄデータ送信を行なうことができる。
【０１５０】
ただし、端末装置１において送信可能な上りリンクデータと送信可能なＤ２Ｄデータの両方が発生した場合、端末装置１および基地局装置３は下記の動作例１から動作例５に記載のランダムアクセス手順の何れかを行なってよい。すなわち、端末装置１において、送信可能な上りリンクデータのためのスケジューリングリクエストおよび送信可能なＤ２Ｄデータのためのスケジューリングリクエストに基づいてランダムアクセス手順が開始された場合、端末装置１および基地局装置３は下記の動作例１から動作例５に記載のランダムアクセス手順の何れかを行なってよい。
【０１５１】
また、端末装置１において送信可能な上りリンクデータが発生せず、送信可能なＤ２Ｄデータが発生した場合、端末装置１および基地局装置３は下記の動作例１から動作例５に記載のランダムアクセス手順の何れかを行なってよい。すなわち、端末装置１において、送信可能な上りリンクデータのためのスケジューリングリクエストに基づかず、送信可能なＤ２Ｄデータのためのスケジューリングリクエストに基づいてランダムアクセス手順が開始された場合、端末装置１および基地局装置３は下記の動作例１から動作例５に記載のランダムアクセス手順の何れかを行なってよい。
【０１５２】
また、端末装置１において送信可能な上りリンクデータと送信可能なＤ２Ｄデータの両方が発生した場合に行われるランダムアクセス手順、および、端末装置１において送信可能な上りリンクデータが発生せず、送信可能なＤ２Ｄデータの両方が発生した場合に行われるランダムアクセス手順は、共通でもよいし、異なってもよい。
【０１５３】
＜動作例１＞
図１３は本実施形態における端末装置１の動作例１の手順を示すフロー図である。上りリンクデータとＤ２Ｄデータの両方が発生した端末装置１は、上記のメッセージ１とメッセージ２の送受信を行なった後（Ｓ１０００）、メッセージ３に、該端末装置１を識別するＣ−ＲＮＴＩを示すＣ−ＲＮＴＩ  ＭＡＣ  ＣＥを含めて基地局装置３へ送信する（Ｓ１００２）。そして、端末装置１はコンテンションレゾリューションタイマーを開始し、基地局装置３からのＰＤＣＣＨのモニタリングを開始する（Ｓ１００４）。端末装置１がコンテンションレゾリューションタイマー期間内にメッセージ３で送信したＣ−ＲＮＴＩ宛てのＰＤＣＣＨを検出し、新規送信用の上りリンクグラントの検出に成功した場合（Ｓ１００６−Ｙｅｓ）、コンテンションレゾリューションタイマーを停止し、ランダムアクセス手順を成功とみなし終了する（Ｓ１００８）。それ以外の場合（コンテンションリゾリューションタイマーが満了した場合）（Ｓ１００６−Ｎｏ）、コンテンションリゾリューションを失敗とみなし、Ｓ１０００に戻る（Ｓ１０１０）。
【０１５４】
＜動作例２＞
図１４は本実施形態における端末装置１の別の動作例２の手順を示すフロー図である。上りリンクデータとＤ２Ｄデータの両方が発生した端末装置１は、上記のメッセージ１とメッセージ２の送受信を行なった後（Ｓ１１００）、メッセージ３に、該端末装置１を識別するＣ−ＲＮＴＩを示すＣ−ＲＮＴＩ  ＭＡＣ  ＣＥとＤ２Ｄ−ＲＮＴＩを示すＤ２Ｄ−ＲＮＴＩ  ＭＡＣ  ＣＥの両方を含めて基地局装置３へ送信する（Ｓ１１０２）。そして、端末装置１はコンテンションレゾリューションタイマーを開始し、基地局装置３からのＰＤＣＣＨのモニタリングを開始する（Ｓ１１０４）。コンテンションレゾリューションタイマー期間内で送信したＣ−ＲＮＴＩ宛てのＰＤＣＣＨを検出し、新規送信用の上りリンクグラントの検出に成功した場合（Ｓ１１０６−Ｙｅｓ）、コンテンションレゾリューションタイマーを停止し、ランダムアクセス手順を成功とみなし終了する（Ｓ１１０８）。それ以外の場合で（Ｓ１００６−Ｎｏ）、コンテンションレゾリューションタイマー期間内で送信したＤ２Ｄ−ＲＮＴＩ宛てのＰＤＣＣＨを検出し、Ｄ２Ｄグラントの検出に成功した場合（Ｓ１１１０−Ｙｅｓ）、Ｓ１１０８へ移行する。Ｓ１１０６およびＳ１１１０の何れもＮｏである場合、コンテンションリゾリューションを失敗とみなし、Ｓ１１００に戻る（Ｓ１１１２）。尚、ステップＳ１１０６の判断と、ステップＳ１１１０の判断が行われる順番は逆でもよい。また、ステップＳ１１０６の判断と、ステップＳ１１１０の判断は、同時に行われてもよい。ただし、Ｓ１１１０において検出対象となるＤ２Ｄグラントは、新規送信のためのＤ２Ｄグラントのみとしても良いし、新規送信および／または再送のためのＤ２Ｄグラントとしても良い。
【０１５５】
＜動作例３＞
図１５は本実施形態における端末装置１の別の動作例３の手順を示すフロー図である。上りリンクデータとＤ２Ｄデータの両方が発生した端末装置１は、上記のメッセージ１とメッセージ２の送受信を行なった後、（Ｓ１２００）、メッセージ３に、該端末装置１を識別するＣ−ＲＮＴＩを示すＣ−ＲＮＴＩ  ＭＡＣ  ＣＥとＤ２Ｄ−ＲＮＴＩを示すＤ２Ｄ−ＲＮＴＩ  ＭＡＣ  ＣＥの両方を含めて基地局装置３へ送信する（Ｓ１２０２）。そして、端末装置１はコンテンションレゾリューションタイマーを開始し、基地局装置３からのＰＤＣＣＨのモニタリングを開始する（Ｓ１２０４）。コンテンションレゾリューションタイマー期間内で送信したＣ−ＲＮＴＩ宛てのＰＤＣＣＨを検出し、新規送信用の上りリンクグラントの検出に成功した場合で（Ｓ１２０６−Ｙｅｓ）、かつタイマー期間内で送信したＤ２Ｄ−ＲＮＴＩ宛てのＰＤＣＣＨを検出し、Ｄ２Ｄグラントの検出に成功した場合（Ｓ１２０８−Ｙｅｓ）、コンテンションレゾリューションタイマーを停止し、ランダムアクセス手順を成功したと見なし終了する（Ｓ１２１０）。送信したＣ−ＲＮＴＩ宛ての新規送信用の上りリンクグラントあるいは送信したＤ２Ｄ−ＲＮＴＩ宛てのＤ２Ｄグラントの何れかが検出できなかった場合（Ｓ１２０６−ＮｏまたはＳ１２０８−Ｎｏ）、コンテンションリゾリューションを失敗とみなし、Ｓ１２００に戻る（Ｓ１２１２）。ただし、Ｓ１２０８において検出対象となるＤ２Ｄグラントは、新規送信のためのＤ２Ｄグラントのみとしても良いし、新規送信および／または再送のためのＤ２Ｄグラントとしても良い。
【０１５６】
＜動作例４＞
図１６は本実施形態における端末装置１の別の動作例４の手順を示すフロー図である。上りリンクデータとＤ２Ｄデータの両方が発生した端末装置１は、上記のメッセージ１とメッセージ２の送受信を行なった後（Ｓ１３００）、メッセージ３に、該端末装置１を識別するＣ−ＲＮＴＩを示すＣ−ＲＮＴＩ  ＭＡＣ  ＣＥとＤ２Ｄ−ＲＮＴＩを示すＤ２Ｄ−ＲＮＴＩ  ＭＡＣ  ＣＥの両方を含めて基地局装置３へ送信する（Ｓ１３０２）。そして、端末装置１はコンテンションレゾリューションタイマーを開始し、基地局装置３からのＰＤＣＣＨのモニタリングを開始する（Ｓ１３０４）。タイマー期間内にメッセージ３で送信したＣ−ＲＮＴＩ宛てのＰＤＣＣＨを検出し、新規送信用の上りリンクグラントの検出に成功した場合（Ｓ１３０６−Ｙｅｓ）、コンテンションレゾリューションタイマーを停止し、ランダムアクセス手順を成功とみなし終了する（Ｓ１３０８）。それ以外の場合（Ｓ１３０６−Ｎｏ）、コンテンションリゾリューションを失敗とみなし、Ｓ１３００に戻る（Ｓ１３１０）。送信したＤ２Ｄ−ＲＮＴＩ宛てのＤ２Ｄグラントの検出のみ成功した場合は、コンテンションレゾリューションタイマーは停止せずに、送信したＣ−ＲＮＴＩ宛ての上りリンクグラントの検出に成功するまでランダムアクセス手順を続行する。
【０１５７】
＜動作例５＞
図１７は本実施形態における端末装置１の別の動作例５の手順を示すフロー図である。上りリンクデータとＤ２Ｄデータの両方が発生した端末装置１は、上記のメッセージ１とメッセージ２の送受信を行なった後（Ｓ１４００）、メッセージ３に、該端末装置１を識別するＤ２Ｄ−ＲＮＴＩを示すＤ２Ｄ−ＲＮＴＩ  ＭＡＣ  ＣＥを含めて基地局装置３へ送信する（Ｓ１４０２）。そして、端末装置１はコンテンションレゾリューションタイマーを開始し、基地局装置３からのＰＤＣＣＨのモニタリングを開始する（Ｓ１４０４）、タイマー期間内にメッセージ３で送信したＤ２Ｄ−ＲＮＴＩ宛てのＰＤＣＣＨを検出し、Ｄ２Ｄグラントの検出に成功した場合（Ｓ１４０６−Ｙｅｓ）、コンテンションレゾリューションタイマーを停止し、ランダムアクセス手順を成功とみなし終了する（Ｓ１４０８）。それ以外の場合（Ｓ１４０６−Ｎｏ）、コンテンションリゾリューションを失敗とみなし、Ｓ１４００に戻る（Ｓ１４１０）。ただし、Ｓ１４０６において検出対象となるＤ２Ｄグラントは、新規送信のためのＤ２Ｄグラントのみとしても良いし、新規送信および／または再送のためのＤ２Ｄグラントとしても良い。
【０１５８】
ただし、上りリンクデータとＤ２Ｄデータの両方が発生した端末装置１が、上記の動作例１〜動作例５のいずれかを選択して動作するように構成されてもよい。
【０１５９】
ただし、以上に示したランダムアクセス手順では、端末装置１は発生したデータが属する論理チャネルのＬＣＩＤがＤ２Ｄデータのものである場合、Ｄ２Ｄ−ＲＮＴＩ  ＭＡＣ  ＣＥをメッセージ３において送信する形態を示したが、メッセージ３においてＤ２Ｄ  ｇｒｏｕｐ  ＩＤを示す情報を送信しても良い。Ｄ２Ｄ  ｇｒｏｕｐ  ＩＤを示す情報にはＤ２Ｄ  ｇｒｏｕｐ  ＩＤ  ＭＡＣ  ＣＥが用いられても良いし、Ｄ２Ｄ  ＢＳＲ  ＭＡＣ  ＣＥが用いられても良い。受信したメッセージ３においてＤ２Ｄ  ｇｒｏｕｐ  ＩＤを示す情報を検出した基地局装置３は、該端末装置１と接続を確立する場合、検出したＤ２Ｄ  ｇｒｏｕｐ  ＩＤの情報を含むＤ２Ｄグラントをメッセージ４としてＰＤＣＣＨで送信する。メッセージ３でＤ２Ｄ  ｇｒｏｕｐ  ＩＤを示す情報を送信した端末装置１は、基地局装置３から受信したＰＤＣＣＨにＤ２Ｄグラントが含まれており、かつ該Ｄ２Ｄグラントにメッセージ３で送信したＤ２Ｄ  ｇｒｏｕｐ  ＩＤの情報が含まれている場合、他の端末装置１とのコンテンションレゾリューションに成功したものとみなし、コンテンションレゾリューションタイマーを停止し、ランダムアクセス手順を終了する。ただし、対象となるＤ２Ｄグラントは、新規送信のためのＤ２Ｄグラントのみとしても良いし、新規送信および／または再送のためのＤ２Ｄグラントとしても良い。
【０１６０】
以下、本実施形態における装置の構成について説明する。
【０１６１】
図１８は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、Ｄ２Ｄ制御部１０１５、バッファ１０１７、および、ランダムアクセス制御部１０１９を含んで構成される。
【０１６２】
上位層処理部１０１は、ユーザの操作等により生成された上りリンクデータまたはを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１６３】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。
【０１６４】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１６５】
上位層処理部１０１が備えるＤ２Ｄ制御部１０１５は、無線リソース制御部１０１１によって管理されている各種設定情報／パラメータに基づいて、Ｄ２Ｄ発見、Ｄ２Ｄ通信、および／または、ＰｒｏＳｅ−ａｓｓｉｓｔｅｄ  ＷＬＡＮダイレクト通信の制御を行う。Ｄ２Ｄ制御部１０１５は、他の端末装置１またはＥＵＴＲＡＮ（基地局装置３）に送信する、Ｄ２Ｄに関連する情報を生成してもよい。
【０１６６】
上位層処理部１０１が備えるバッファ１０１７は、上りリンクデータバッファ、Ｄ２Ｄデータバッファおよびメッセージ３バッファを含み、それぞれ基地局装置３へ送信する上りリンクデータ、他の端末装置１に対して送信するＤ２Ｄデータおよび基地局装置３へ送信するメッセージ３が保管される。保管された上りリンクデータおよびメッセージ３は、スケジューリング情報解釈部１０１３において上りリンクグラントが検出された場合に送信部１０７に出力される。また、保管されたＤ２Ｄデータは、Ｄ２Ｄ通信のモード１が設定されている場合は、スケジューリング情報解釈部１０１３においてＤ２Ｄグラントが検出された場合に送信部１０７に出力される。Ｄ２Ｄ通信のモード２が設定されている場合は、保管されたＤ２Ｄデータは制御部１０３の指示によって送信部１０７に出力される。
【０１６７】
上位層処理部１０１が備えるランダムアクセス制御部１０１９は、ランダムアクセス手順を行う場合に、ランダムアクセス手順で使用するランダムアクセスプリアンブルを選択し、送信部１０７に出力する。
また、ランダムアクセス制御部１０１９は、基地局装置３から受信部１０５を介して、送信したランダムアクセスプリアンブルに対応するランダムアクセスプリアンブル識別子を含むランダムアクセス応答を検出し、該ランダムアクセス応答に上りリンクグラントが含まれる場合に、スケジューリング情報解釈部１０１３を介して、制御情報を制御部１０３に出力する。この場合、バッファ１０１７に上りリンクデータが保管されている場合にはＣ−ＲＮＴＩを示す情報を含むデータをバッファ１０１７にメッセージ３として保管し、バッファ１０１７にＤ２Ｄデータが保管されている場合にはＤ２Ｄ−ＲＮＴＩを示す情報を含むデータをバッファ１０１７にメッセージ３として保管する。
【０１６８】
また、ランダムアクセス制御部１０１９は、メッセージ３としてＣ−ＲＮＴＩを示す情報を送信した場合に、受信部１０５で受信した信号から該Ｃ−ＲＮＴＩ宛てのＰＤＣＣＨを検出した場合にランダムアクセス手順を終了する。ランダムアクセス制御部１０１９は、メッセージ３としてＤ２Ｄ−ＲＮＴＩを示す情報を送信した場合に、受信部１０５で受信した信号から該Ｄ２Ｄ−ＲＮＴＩ宛てのＰＤＣＣＨを検出した場合にランダムアクセス手順を終了する。
【０１６９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１７０】
受信部１０５は、制御部１０３から入力された制御信号に従って、送受信アンテナ部１０９を介して基地局装置３または他の端末装置１から受信した受信信号を、分離、復調、復号し、復号した情報を上位層処理部１０１に出力する。
【０１７１】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０１７２】
また、送信部１０７は、制御部１０３から入力された制御信号に従って、上位層処理部１０１から入力されたＤ２Ｄデータを符号化及び変調し、送受信アンテナ部１０９を介して他の端末装置１に送信する。
また、送信部１０７は、ランダムアクセス手順においては、上位層処理部１０１から入力されたランダムアクセスプリアンブルあるいは上位層処理部１０１から入力されたメッセージ３を符号化及び変調し、送受信アンテナ部１０９を介して基地局装置３に送信する。
【０１７３】
図１９は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、Ｄ２Ｄ制御部３０１５、およびランダムアクセス処理部３０１７を含んで構成される。
【０１７４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１７５】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部１０１１は、上位層の信号を介して端末装置１各々に対して各種設定情報／パラメータをセットしてもよい。すなわち、無線リソース制御部１０１１は、各種設定情報／パラメータを示す情報を送信／報知する。
【０１７６】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１７７】
上位層処理部３０１が備えるＤ２Ｄ制御部３０１５は、無線リソース制御部３０１１によって管理されている各種設定情報／パラメータに基づいて、セルラリンクを用いて通信している端末装置１におけるＤ２Ｄ発見、Ｄ２Ｄ通信、および／または、ＰｒｏＳｅ−ａｓｓｉｓｔｅｄ  ＷＬＡＮダイレクト通信の制御を行う。Ｄ２Ｄ制御部３０１５は、他の基地局装置３または端末装置１に送信する、Ｄ２Ｄに関連する情報を生成してもよい。
【０１７８】
上位層処理部３０１が備えるランダムアクセス処理部３０１７は、受信部３０５で受信した端末装置１からのランダムアクセスプリアンブルを検出し、該端末装置１との接続を行う場合に、受信したランダムアクセスプリアンブルに対応するランダムアクセスプリアンブル識別子を含むランダムアクセス応答を生成し、送信部３０７に出力する。
【０１７９】
またランダムアクセス処理部３０１７は、受信部３０５で受信した端末装置１からのメッセージ３を検出する。検出したメッセージ３にＣ−ＲＮＴＩを示す情報が含まれている場合、該Ｃ−ＲＮＴＩ宛ての上りリンクグラントを含むコンテンションレゾリューションメッセージを生成し、送信部３０７に出力する。検出したメッセージ３にＤ２Ｄ−ＲＮＴＩを示す情報が含まれている場合、該Ｄ２Ｄ−ＲＮＴＩ当てのＤ２Ｄグラントを含むコンテンションレゾリューションメッセージを生成し、送信部３０７に出力する。
【０１８０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１８１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０１８２】
本実施形態の端末装置１は、他の端末装置１および基地局装置３（ＥＵＴＲＡＮ）と通信する端末装置１であって、前記他の端末装置１および前記基地局装置３へ信号を送信する送信部１０７と、前記基地局装置３からの信号を受信する受信部１０５と、前記送信部１０７から送信するデータを保管するバッファ１０１７と、ランダムアクセス手順を処理する上位層処理部１０１と、を備え、前記送信部１０７は、前記送信部１０７から前記基地局装置３へランダムアクセスプリアンブルを送信し、前記上位層処理部１０１は、前記受信部１０５で前記ランダムアクセスプリアンブルに対応するランダムアクセス応答を受信し、かつ前記バッファ１０１７に前記他の端末装置１へ送信するデータが保管されている場合に、前記送信部１０７から前記基地局装置３へ送信するメッセージ３にＤ２Ｄ−ＲＮＴＩを示す情報を含めるように処理する。
【０１８３】
上記の上位層処理部１０１は、前記受信部１０５で前記ランダムアクセスプリアンブルに対応するランダムアクセス応答を受信し、かつ前記バッファ１０１７に前記他の端末装置１へ送信可能なデータが保管されている場合に、前記メッセージ３にＤ２Ｄ  ｇｒｏｕｐ  ＩＤを示す情報を含めるように処理してもよい。
【０１８４】
上記の上位層処理部１０１は、前記受信部１０５で前記ランダムアクセスプリアンブルに対応するランダムアクセス応答を受信し、かつ前記バッファ１０１７に前記基地局装置３へ送信可能なデータが保管されている場合に、上記メッセージ３にＣ−ＲＮＴＩを示す情報を含めるように処理してもよい。
【０１８５】
上記の上位層処理部１０１は、前記受信部１０５で受信した信号から前記Ｄ２Ｄ−ＲＮＴＩ宛てのＰＤＣＣＨを検出し、該ＰＤＣＣＨがＤ２Ｄグラントを含んでいる場合にランダムアクセス手順を終了するようにしてもよい。
【０１８６】
上記の上位層処理部１０１は、前記受信部１０５で受信した信号から前記Ｄ２Ｄ−ＲＮＴＩ宛てのＰＤＣＣＨを検出し、該ＰＤＣＣＨに前記Ｄ２Ｄ  ｇｒｏｕｐ  ＩＤに属するＤ２Ｄグラントを含んでいる場合にランダムアクセス手順を終了するようにしてもよい。
【０１８７】
上記の上位層処理部１０１は、前記受信部１０５で受信した信号から前記Ｃ−ＲＮＴＩ宛てのＰＤＣＣＨを検出し、該ＰＤＣＣＨが新規送信のための上りリンクグラントを含んでいる場合にランダムアクセス手順を終了するようにしてもよい。
【０１８８】
上記の上位層処理部１０１は、前記受信部１０５で受信した信号から前記Ｄ２Ｄ−ＲＮＴＩ宛てのＰＤＣＣＨを検出し、該ＰＤＣＣＨがＤ２Ｄグラントを含んでいる場合にランダムアクセス手順を終了するようにしてもよい。
【０１８９】
上記の上位層処理部１０１は、前記受信部１０５で受信した信号から前記Ｃ−ＲＮＴＩ宛ての第１のＰＤＣＣＨと前記Ｄ２Ｄ−ＲＮＴＩ宛ての第２のＰＤＣＣＨとを検出し、前記第１のＰＤＣＣＨが新規送信のための上りリンクグラントを含み、前記第２のＰＤＣＣＨがＤ２Ｄグラントを含んでいる場合にランダムアクセス手順を終了するようにしてもよい。
【０１９０】
本実施形態の基地局装置３は、端末装置１と通信する基地局装置３であって、前記端末装置１からＤ２Ｄ−ＲＮＴＩを示す情報を含むメッセージ３を受信する受信部３０５と、前記Ｄ２Ｄ−ＲＮＴＩ宛てのＰＤＣＣＨに新規送信のためのＤ２Ｄグラントを含めるように処理する上位層処理部３０１と、前記ＰＤＣＣＨを前記端末装置１へ送信する送信部３０７と、を備える。
【０１９１】
上記の受信部３０５は前記メッセージ３でＤ２Ｄ  ｇｒｏｕｐ  ＩＤを示す情報を受信し、上記の上位層処理部３０１は、前記Ｄ２Ｄグラントに前記Ｄ２Ｄ  ｇｒｏｕｐ  ＩＤを示す情報を含めるように処理してもよい。
【０１９２】
これにより、端末装置１間で効率的にＤ２Ｄを行うことができる。また、基地局装置３は、セルラリンクを用いて、端末装置１間のＤ２Ｄを効率的に制御することができる。
【０１９３】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１９４】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９５】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９７】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１９８】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１９９】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２００】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２０１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２０２】
１（１Ａ、１Ｂ、１Ｃ）  端末装置
３  基地局装置
１０１  上位層処理部
１０３  制御部
１０５  受信部
１０７  送信部
１０９  送受信アンテナ部
３０１  上位層処理部
３０３  制御部
３０５  受信部
３０７  送信部
３０９  送受信アンテナ部
１０１１  無線リソース制御部
１０１３  スケジューリング情報解釈部
１０１５  Ｄ２Ｄ制御部
１０１７  バッファ
１０１９  ランダムアクセス制御部
３０１１  無線リソース制御部
３０１３  スケジューリング部
３０１５  Ｄ２Ｄ制御部
３０１７  ランダムアクセス処理部
【図１】
2017168874.tif 000003
【図２】
2017168874.tif 000004
【図３】
2017168874.tif 000005
【図４】
2017168874.tif 000006
【図５】
2017168874.tif 000007
【図６】
2017168874.tif 000008
【図７】
2017168874.tif 000009
【図８】
2017168874.tif 000010
【図９】
2017168874.tif 000011
【図１０】
2017168874.tif 000012
【図１１】
2017168874.tif 000013
【図１２】
2017168874.tif 000014
【図１３】
2017168874.tif 000015
【図１４】
2017168874.tif 000016
【図１５】
2017168874.tif 000017
【図１６】
2017168874.tif 000018
【図１７】
2017168874.tif 000019
【図１８】
2017168874.tif 000020
【図１９】
2017168874.tif 000021